(57)【要約】【課題】包装フィルムの切込部に貼着され、切込部を起点として包装フィルムを開封するために主として用いられる再貼付可能なラベルであって、開封時にラベルだけが剥離しないように改良された開封用ラベルを提供すること課題とする。【解決手段】基材７１の裏面７１ａに設けられた粘着剤を介して、包装フィルム３に形成された切込部５に貼着され、この粘着剤がホットメルト粘着剤７４である開封用ラベルを解決手段とする。また、凹部２１を有する容器２が包装フィルム３で包装され、この包装フィルム３の凹部対応位置に切込部５が形成された包装体１０の前記切込部５を覆う位置に、加熱によって軟化されたホットメルト粘着剤を介して開封用ラベル７を貼着することを解決手段とする。【選択図】      図１
2004315016.tif 000002
【特許請求の範囲】
【請求項１】
基材（７１）の裏面に設けられた粘着剤を介して、包装フィルム（３）に形成された切込部（５）に貼着される再貼付可能な開封用ラベルであって、前記粘着剤がホットメルト粘着剤であることを特徴とする開封用ラベル。
【請求項２】
凹部（２１）を有する容器（２）が包装フィルム（３）で包装され、且つ前記包装フィルム（３）の凹部対応位置に切込部（５）が形成された包装体（１０）における前記切込部（５）を覆う位置に、加熱によって軟化されたホットメルト粘着剤を介して開封用ラベル（７）を貼着することを特徴とする開封用ラベル付き包装体の製造方法。
【発明の詳細な説明】
【０００１】
【発明の属する技術分野】
本発明は、包装フィルムの切込部に貼着され、切込部を起点として包装フィルムを開封するために主として用いられる開封用ラベル及び開封用ラベル付き包装体の製造方法に関する。
【０００２】
【従来の技術】
従来、インスタントラーメン入り容器などの各種容器の包装形態として、熱収縮性フィルムによってシュリンク包装された包装体などが知られている。更に、包装フィルムを開封し易くするために、フィルムに切込部を設け且つこの切込部に粘着剤を介して開封用ラベルを貼着した開封用ラベル付き包装体が知られている。この包装体は、開封用ラベルを引き剥がすことにより、切込部を起点として包装フィルムを開裂させ、その後、包装フィルムを容易に除去することができるものである。
【０００３】
具体的には、例えば、粘着剤面に適宜塗膜を形成することにより、基材の裏面に、非粘着部と弱粘着部と粘着部が順に設けられた開封用ラベル及びこれを切込部に貼着した包装体（特開平１１−２９２１４１号）や、基材の裏面に設けられた粘着部の前後端部に、非粘着部が設けられた開封用ラベル及びこれを切込部に貼着した包装体（特開平１１−２０８７２４号）などが知られている。
【０００４】
前者は、包装フィルムの開封時に比較的小さな力でラベルをフィルムから引き剥がすことができるという有意義な効果を有し、後者は、剥離後のラベルを再貼着する際、ラベルに残存する切取りフィルム片を容易に除去することができるという有意義な効果を有し、何れも剥離後のラベルを蓋と容器に跨って再貼着させ、蓋止めとして再利用できるものである。
【０００５】
【特許文献１】
特開平１１−２９２１４１号公報（第３頁、［００１４］−［００２０］）
【特許文献２】
特開平１１−２０８７２４号公報（第３頁、［００１６］−［００２２］）
【０００６】
【発明が解決しようとする課題】
ところが、従来の開封用ラベル付き包装体にあっては、開封用ラベルを引き剥がす際に、切込部を伴わずにラベルだけが剥がれ、その結果、包装フィルムを切込部から容易に開裂させることができないという問題を生じる場合がある。
【０００７】
このような問題を生じる原因の一つとして、切込部を形成する際にハーフカット状態になっているなどのように、切込部の形成が不完全であることが考えられる。このように不完全な切込部からフィルムを開裂させるためには比較的大きな力を必要とするから、ラベルだけが剥離すると考えられる。
また、その他の原因として、開封用ラベルが本来有する粘着力で貼着されていないことも考えられる。特に、凹部を有する容器（例えば、底面が内側に凹んだインスタントラーメン入り容器など）の該凹部に対応する位置に形成された切込部に開封用ラベルを貼着する際には、包装フィルムが容器の凹部側へ撓むため、ラベルをフィルム側へ押圧しても十分に貼着できず、従って、開封時にはラベルだけが剥離すると考えられる。
【０００８】
本発明は、かかる問題点に鑑み、再貼付可能なラベルであって、開封時にラベルだけが剥離しないように改良された開封用ラベルを提供することを第１の課題とする。また、本発明は、容器の凹部対応位置に形成された包装フィルムの切込部に、開封用ラベルを確実に貼着できる開封用ラベル付き包装体の製造方法を提供することを課題とする。
【０００９】
【課題を解決するための手段】
上記課題を解決する手段として、開封用ラベルを接着剤で貼着することも考えられるが、接着剤を用いると、剥離後にラベルを再貼着することができず、又、開封用ラベルが余りに強く貼着されていると、開封時にラベルを引き剥がす行為自体が困難となる。
【００１０】
そこで、本発明は、第１の手段として、基材７１の裏面に設けられた粘着剤を介して、包装フィルム３に形成された切込部５に貼着される再貼付可能な開封用ラベルであって、この粘着剤がホットメルト粘着剤である開封用ラベルを提供する。
【００１１】
上記のように、包装フィルム３の切込部５に貼着するための粘着剤としてホットメルト粘着剤を用いると、加熱により軟化するため、ラベル７を包装フィルム３に貼着する際、この粘着剤が包装フィルム３の外面に接触し易くなる。従って、例えば容器２の凹部対応位置に形成された切込部５にラベル７を貼着する場合などのように、包装フイルム３の外面に対してラベル７を十分に押圧できない場合でも、軟化したホットメルト粘着剤が包装フイルム外面を捕らえ且つ瞬時に強い粘着力を発揮するから、ラベル７を確実に貼着させることができる。
また、ホットメルト粘着剤は、常温で比較的粘着力が強いので、従来から用いられている感圧型粘着剤に比して、ラベル７を切込部５に強く貼着させることができる。従って、不完全な切込部５にラベル７が貼着された場合でも、開封時に、ラベル７が切込部５から剥がれ難く、切込部５を起点として包装フィルム３を開裂させることができる。
【００１２】
さらに、好ましい態様の開封用ラベルとしては、基材７１の裏面に、非粘着部７２と、感圧型粘着剤からなる第２粘着部７５と、ホットメルト粘着剤からなる第１粘着部７４とが基材７１の一端側から順に設けられていると共に、第１粘着部７４の粘着力が、第２粘着部７５の１．５倍以上のものである。
【００１３】
また、本発明は、第２の手段として、凹部２１を有する容器２が包装フィルム３で包装され、且つ包装フィルム３の凹部対応位置に切込部５が形成された包装体１０における前記切込部５を覆う位置に、加熱によって軟化されたホットメルト粘着剤を介して開封用ラベル７を貼着する開封用ラベル付き包装体の製造方法を提供する。
【００１４】
このように加熱により軟化されたホットメルト粘着剤を介して開封用ラベル７を包装フィルム３の切込部５に貼着することにより、包装フィルム３が容器２の凹部２１側へ撓んでも、軟化したホットメルト粘着剤が包装フィルム３の外面に接触し易い。従って、強固にラベル７が貼着された開封用ラベル付き包装体１を簡易に得ることができる。
【００１５】
【発明の実施の形態】
以下、本発明について、図面を参照しつつ説明する。
図１に於いて、１は、容器２が包装フィルム３で包装され、且つ包装フィルム３に切込部５が形成された包装体１０と、包装フィルム３の外面であって、切込部５にホットメルト粘着剤を介して貼着された開封用ラベル７と、を備える開封用ラベル付き包装体を示す。
【００１６】
具体的には、容器２は、例えば底面に凹部を有するインスタントラーメン入り容器などのように、外面の一部が内側に凹んだ凹部２１を有する容器２からなる。この容器２に包装された包装フィルム３は、例えば二軸延伸ポリプロピレンフィルムなどの熱収縮性フィルムなどが用いられている。この包装フィルム３のうち、容器２の凹部２１の略中心部に対応する位置には、所定形状（例えば略Ｕ字状の切断線など）の切込部５が形成されている。この包装フィルム３の外面であって切込部５を覆う位置に、後述する第１粘着部７４を介して開封用ラベル７が貼着されている。
【００１７】
この開封用ラベル７は、図２にも示すように、基材７１と、基材７１の裏面７１ａの一端側に設けられた非粘着部７２と、この非粘着部７２に連接し且つ基材７１の他端側まで設けられた粘着部７３とから構成されている。
基材７１は、例えば、紙、合成紙、合成樹脂フィルム、２種以上の複合積層体などからなり、所定形状（例えば、平面長方形状など）に形成されている。この基材７１に設けられた非粘着部７２は、開封用ラベル７を引き剥がす際の摘み代であり、基材７１の裏面７１ａの一端側をそのまま露出させることにより設けられている。
【００１８】
粘着部７３は、基材７１の幅方向にホットメルト粘着剤が帯状に塗布された第１粘着部７４と、この第１粘着部７４の両側であって、基材７１の幅方向に感圧型粘着剤が帯状に塗布された第２粘着部７５，７５と、からなる。従って、基材７１の裏面７１ａには、一端側から基材７１の長手方向へ、非粘着部７２、第２粘着部７５、第１粘着部７４、第２粘着部７５の順で帯状の各部が設けられている。
ホットメルト粘着剤としては、加熱することにより軟化し且つ常温で強い粘着力を有すると共に剥離可能な粘着性を有するものであれば特に限定されず、例えば、ＳＩＳなどのスチレン−イソプレン系ブロック共重合体やポリスチレン−ポリブタジエン系ブロック共重合体などのゴム系ホットメルト粘着剤、エチレン−酢酸ビニル共重合体、エチレン−アクリル酸共重合体などのエチレン系樹脂と粘着付与剤を主成分とするホットメルト接着剤などの公知のものを用いることができる。感圧型粘着剤としては、剥離可能な粘着性を有するものであれば特に限定されず公知のものを用いることができる。これらの粘着剤は厚さ５〜５０μｍ、好ましくは１５〜３０μｍ程度に形成することが好ましい。
【００１９】
また、ホットメルト粘着剤は、その常温に於ける粘着力が感圧型粘着剤の粘着力よりも強いもの、好ましくは感圧型粘着剤の約１．５倍以上、より好ましくは約２倍以上の粘着力を有するものが用いられる。
具体的には、感圧型粘着剤の粘着力が５〜７［Ｎ／１５ｍｍ］のものが好ましい。但し、この粘着力の数値は、ＪＩＳ  Ｚ０２３７に準じた測定値であって、台上に厚み１２［μｍ］の熱収縮性２軸延伸ポリプロピレンフィルムを固定し、この上に感圧型粘着剤が塗布された幅１５［ｍｍ］の試験片を２［ｋｇ］のゴムローラーで１往復押圧し、引張速度３００［ｍ／分］で１８０度剥離を行った場合である。
【００２０】
上記開封用ラベル７は、例えば、ロール状に巻かれた基材７１の長手方向に、（非粘着部７２の形成予定部分を除いて）感圧型粘着剤とホットメルト粘着剤をコーターなどで塗工して第１及び第２粘着部７４，７５を形成した後、ロール状基材を幅方向で切断することにより製造することができる。得られた開封用ラベル７は、通常、セパレータ上に仮貼着して供給される。感圧型粘着剤は、水性エマルジョンなどの溶液を塗布乾燥してコーティングすることが好ましく、ホットメルト粘着剤は、加熱溶融した状態でコーティングし、常温に冷却することにより粘着状態となる。尚、各粘着剤は、セパレータ上にコーティングした後に基材７１と重ね合わせてこれに転移させても良いし、或いは別工程でコーティングしてもよい。
【００２１】
次に、開封用ラベル付き包装体１の製造方法について説明する。
（包装体の製造工程）
ロール状に巻かれた熱収縮性フィルムを、包装機にセットし、このフィルムに脱気用孔を開け、フォーマーによりフィルムを引き出しながら筒状に形成すると共にこの筒状内に容器２を送り込み、長手方向の重ね代をシーラーなどで熱溶着又は溶断し、更に、容器２の前後において幅方向で熱溶断した後、これを温風などに曝してフィルムを収縮させる。次に、容器２の凹部２１に対応する位置でフィルムに略Ｕ字状又は略Ｖ字状などの熱コテを当て、切断線からなる切込部５を刻設することにより包装フィルム３に切込部５が形成された包装体１０を得ることができる。もっとも、切込部５の形成は、熱収縮させる前に、例えば、脱気用孔を開ける際に形成しておいてもよく、包装体の製造工程は、これらの手順に限定されず、従来公知の種々の手順で行えばよい。
【００２２】
（開封用ラベルの貼着工程）
次に、開封用ラベル７を、ラベル供給機や貼着機に設けた温風や熱ローラーなどで加熱してホットメルト粘着剤を軟化させておき、ラベル貼着機などの装置で、上記包装体１０の切込部５を覆う位置に開封用ラベル７の第１粘着部７４を位置させて貼着する。尚、これらの作業は手作業で行うことも可能である。加熱温度は、使用するホットメルト粘着剤の種類に応じて適宜設定すればよく、例えば４０℃〜１２０℃程度、好ましくは４０℃〜８０℃程度の範囲で選択すればよい。
【００２３】
このようにホットメルト粘着剤を加熱して貼着することにより、包装フィルム３の切込部５に接触し易く且つ瞬時に強い粘着力を発揮するので、包装フィルム３が凹部２１側へ撓んでも確実にラベル７を貼着させることができる。
【００２４】
得られた開封用ラベル付き包装体１は、開封用ラベル７の非粘着部７１を手で摘み、基材７１の他端側方向へと引き剥がすことにより、切込部５を起点として包装フィルム３を開裂させることができる。
この際、非粘着部７１と第１粘着部７４の間に、第１粘着部７４よりも接着力の小さい第２粘着部７５が設けられているので、ラベル７を引き剥がす際、まず第２粘着部７５に引張り力が加わるのでスムーズにラベル７を引き剥がすことができる。そして、ラベル７の第１粘着部７４が切込部５から剥がれることなく、確実に切込部５から包装フィルム３を開裂させることができる。
また、ホットメルト粘着剤は常温で粘着性を有するので、ラベル７を剥離した後、必要に応じてラベル７に残存する切取フィルム片を除去した上で、図３に示すように、例えばインスタントラーメンを食する際に、その容器２の蓋２２の舌片２３にラベル７の一方側の第２粘着部７５を再貼着し且つ容器２の胴部に他方側の第２粘着部７５を再貼着するなどの方法により、蓋止めとして再利用することも可能である。
【００２５】
尚、上記実施形態のように、第１粘着部７４の両側に第２粘着部７５が設けられたラベル７は、開封時や蓋止め時に引き剥がし易く好ましいが、例えば、図４（ａ）に示すように、非粘着部７２を除く基材７１の裏面全体に、ホットメルト粘着剤が設けられていてもよい。
また、上記実施形態に於いて、ホットメルト粘着剤からなる第１粘着部７４は、図１に示すように、切込部５全体及びその周囲を覆うことができる程度の大きさ（面積）で設けられているが、例えば、図４（ｂ）に示すように、切込部５の一部（好ましくは先端側）を覆うことができる大きさに形成されていてもよい。また、第１及び第２粘着部７４，７５は、基材７１の幅方向に帯状に設けられるものに限られず、例えば、図４（ｃ）に示すように、基材７１の長手方向に設けられていてもよく、また、特に図示しないが、必ずしも第１粘着部７４を挟むように第２粘着部７５が設けられているものにも限定されない。つまり、少なくとも切込部５の一部を覆うことができるようにホットメルト粘着剤からなる第１粘着部７４が設けられていればよく、このように構成されていれば、第２粘着部７５を省略したり、或いは適宜の位置に設けることも可能である。
【００２６】
また、上記実施形態に於いては、開封用ラベル７は、容器２の凹部対応位置に形成された切込部５に貼着されたものを例示したが、凹部２１を有しない容器２や、凹部２１を有する容器２であっても凹部対応位置以外に切込部５が形成されたものに貼着しても同様の効果を有する。
【００２７】
また、上記実施形態に於いては、開封用ラベル７の貼着方法として、加熱して貼着する方法を例示しているが、ホットメルト粘着剤は常温でも粘着性を有するので、加熱せずに、そのまま貼着する使用法も可能である。
【００２８】
【発明の効果】
以上のように、本発明に係る開封用ラベルは、包装フィルムの切込部に確実に且つ強く貼着できるので、開封時、切込部を伴わずにラベルだけが剥離することを防止できる。従って、不完全な切込部や凹部対応位置に形成された切込部などにラベルを貼着した場合でも、開封時、確実に切込部を起点として包装フィルムを開裂させることができる。
また、本発明の開封用ラベル付き包装体の製造方法によれば、従来のラベル貼着作業に、ラベルを加熱するという工程を付加するだけで、凹部対応位置に形成された切込部に、ラベルを確実に且つ強く貼着することができる。従って、作業手間を増やさずに、開封確実な包装体を製造することができる。
【図面の簡単な説明】
【図１】開封用ラベル付き包装体を示し、（ａ）は、その斜視図、（ｂ）は、下方を省略したＡ−Ａ線断面図。
【図２】開封用ラベルを示し、（ａ）は、その斜視図、（ｂ）は、Ｂ−Ｂ線断面図。
【図３】開封後のラベルの再利用状態を示す斜視図。
【図４】（ａ）〜（ｃ）は、開封用ラベルの変形例を示す斜視図。但し、（ｂ）及び（ｃ）には、切込部との関係を示すため、参考までに切込部を二点鎖線で表示する。
【符号の説明】
１…開封用ラベル付き包装体、２…容器、２１…容器の凹部、３…包装フィルム、５…切込部、７…開封用ラベル、７１…基材、７２…非粘着部、７４…第１粘着部、７５…第２粘着部、１０…包装体
【図１】
2004315016.tif 000003
【図２】
2004315016.tif 000004
【図３】
2004315016.tif 000005
【図４】
2004315016.tif 000006